(57)【特許請求の範囲】
【請求項１】
概略ドーム形状をなし、内周面にびん口部外周の突条（２１）と係合する突条（７）を有し、頂部中央に注出口（５）を有すると共に、頂部から注出口周囲を形成するように下方に向かって形成された周壁（８）を有するキャップ本体（２）と、キャップ本体（２）内側に配設され、概略筒状をなし、外周面がびん（２０）口部内周面に接触して気密性を保持し、かつ、内周部分で包持する封緘玉（４）との接触で気密性を保持するパッキン部材（３）と、このパッキン部材（３）の内周部分で包持される封緘玉（４）とを備え、前記キャップ本体（２）に半径方向の弱化溝（６）が形成され、前記封緘玉（４）を押し下げることで開栓し、内容液を飲み終わった後は前記注出口（５）を押し広げることで前記弱化溝（６）からキャップ本体（２）を破壊してキャップをびんから取り除くことができる炭酸飲料びんのキャップにおいて、前記周壁（８）の下端に前記弱化溝（６）に連続する切欠（１４）を設けると共に、前記キャップ本体（２）の頂部に複数の凸部（１３）が形成されていることを特徴とする炭酸飲料びんのキャップ
【請求項２】
請求項１のキャップにおいて、前記切欠（１４）が逆Ｖ字形であることを特徴とする炭酸飲料びんのキャップ
【請求項３】
請求項１又は２のキャップにおいて、前記凸部（１３）が半径方向に形成された凸条であることを特徴とする炭酸飲料びんのキャップ
【請求項４】
請求項１、２、又は３のキャップを口部に装着したことを特徴とする炭酸飲料びん
【発明の詳細な説明】
【０００１】
【発明の属する技術分野】
本発明は、いわゆるラムネびんの封緘に用いるキャップ及びキャップを装着したラムネびんに関する。
【０００２】
【従来の技術】
実開昭６２−１７１４４１、同６２−１７１４４３、同６２−１７１４４４、実開平１−４７６９７、同２−８７４２、同２−１６７５４、同３−９７０５０、同４−１１８３４２、同５−５１７５２などに示されるように、概略ドーム形状をなし、内周面にびん口部外周の環状突条と係合する突条を有し、頂部中央に注出口を有するキャップ本体と、キャップ本体内側に配設され、概略筒状をなし、外周がびん口部内周面に接触して気密性を保持し、かつ、内周部分で包持する封緘玉との接触で気密性を保持するパッキン部材と、このパッキン部材の内周部分で包持される封緘玉とからなる炭酸飲料びんのキャップが知られている。
【０００３】
この種のキャップは、キャップ本体、パッキン部材及び封緘玉を事前に組み立て一体化しておき、びん口部に打栓するもので、きわめて容易にラムネびんの封緘をすることができるキャップとして知られている。通常、キャップ本体はびん口にしっかりと係合されるように、ポリプロピレンなどの比較的硬質の材料を用い、パッキン部材はびん口内面及び封緘玉外面に接触して気密性が保たれるようにポリエチレンなどの比較的軟質の材料が用いられる。
【０００４】
近年、キャップをびんから容易に取り外すことを可能として、びん、キャップ及び封緘玉とを分別してリサイクルを行うことを容易とし、資源の有効利用を図ることが求められている。特開２００１−１４６２５３には、この種のキャップ本体に半径方向の弱化溝を設けておき、飲み終わった後は専用の器具を注出口に押し入れて注出口を押し広げることで、弱化溝からキャップ本体を破壊してキャップをびんから取り除くことができるようにする技術が開示されている。
【０００５】
【発明が解決しようとする課題】
上記のキャップ本体を破壊してキャップをびんから取り除けるようにしたキャップは、単に弱化溝が設けられているだけであるので、専用の器具を注出口に押し入れるのに大きな力を必要としたり、キャップ本体がうまく破壊できなかったりすることがあった。また、弱化溝以外の部分で異常な割れ方をし、キャップ本体の破片が飛び散る危険もあった。
【０００６】
本発明は、キャップ本体を容易に、かつ、確実に破壊できるようにすることを課題とするものである。
【０００７】
【発明が解決しようとする課題】
また従来のこの種のキャップは、キャップを打栓機でびん口部に一気に打栓し、キャップ本体内側に形成された突条と、びん口部外周の環状突条とを係合させてキャップをびん口部に装着するものである。キャップ本体に半径方向の弱化溝を設けると、打栓機でキャップをびん口部に打栓する際に、キャップ本体の径が拡げられることにより、又打栓の衝撃により弱化溝が破れてキャップが損傷し、不良品となってしまうことがあった。
【０００８】
本発明は更に、飲み終わった後にキャップをびんから容易に取り除くことのできるキャップをびん口部に装着するときに、キャップが損傷することのないようにすることを課題とするものである。
【０００９】
【課題を解決するための手段】
本発明は、概略ドーム形状をなし、内周面にびん口部外周の突条（２１）と係合する突条（７）を有し、頂部中央に注出口（５）を有すると共に、頂部から注出口周囲を形成するように下方に向かって形成された周壁（８）を有するキャップ本体（２）と、キャップ本体（２）内側に配設され、概略筒状をなし、外周面がびん（２０）口部内周面に接触して気密性を保持し、かつ、内周部分で包持する封緘玉（４）との接触で気密性を保持するパッキン部材（３）と、このパッキン部材（３）の内周部分で包持される封緘玉（４）とを備え、前記キャップ本体（２）に半径方向の弱化溝（６）が形成され、前記封緘玉（４）を押し下げることで開栓し、内容液を飲み終わった後は前記注出口（５）を押し広げることで前記弱化溝（６）からキャップ本体（２）を破壊してキャップをびんから取り除くことができる炭酸飲料びんのキャップにおいて、前記周壁（８）の下端に前記弱化溝（６）に連続する切欠（１４）を設けると共に、前記キャップ本体（２）の頂部に複数の凸部（１３）が形成されていることを特徴とする炭酸飲料びんのキャップである。
【００１０】
本発明のキャップは、キャップ本体（２）の周壁（８）の下端に弱化溝（６）に連続する切欠（１４）を設けたので、器具を用いて注出口（５）を押し広げたときに、押し広げる力が切欠（１４）に集中し、キャップ本体（２）はこの切欠（１４）から割れはじめ、弱化溝（６）全体に広がる。このため、キャップ本体が容易かつ確実に弱化溝（６）部分で破壊され、異常な割れ方による破片の飛び散りなどのおそれもなくなる。
【００１１】
切欠（１４）の形状は逆Ｖ字形であることが望ましい。逆Ｖ字形とすると注出口（５）を押し広げたときに、押し広げる力が切欠（１４）の上端に集中し、割れやすくなるからである。
【００１２】
キャップ本体（２）の頂部には複数の凸部（１３）を形成する。このようにすることで、キャップを打栓機でびん口部に打栓する際、打栓機のヘッドが凸部に接触し、弱化溝部分に直接接触しないので、打栓の際に弱化溝に作用する衝撃が緩和され、打栓時に弱化溝が破れてキャップが損傷するおそれが少なくなる。
【００１３】
凸部はなるべく弱化溝から離れた位置に形成されていることが望ましい。したがって、弱化溝が複数形成されている場合、凸部は弱化溝の間の中央に形成されるのがよい。
【００１４】
凸部の形状は半径方向に形成された細長い凸条であることが望ましい。打栓機のヘッドから受ける力がキャップの側壁から下方向に伝わりやすくなり、弱化溝に作用する無理な力が減少し、弱化溝が破れてキャップが損傷するおそれが一層少なくなる。
【００１５】
【発明の実施の形態】
以下、実施例を表した図面に基づいて、本発明を詳細に説明する。図１は実施例のキャップ（１）の上面図、図２は図１におけるキャップ本体（２）のＡＡ線断面図、図３は図１におけるキャップ本体（２）及びパッキン部材（３）のＢＢ線断面図、図４は図３におけるＣ部拡大図である。
【００１６】
図に示すキャップ（１）は、キャップ本体（２）、パッキン部材（３）及び封緘玉（４）からなる。キャップ本体（２）はポリプロピレン製で、概略ドーム形の全体形状をなしており、内周面にびん（２０）口部外周の環状の突条（２１）と螺合する突条（７）を有し、頂部中央に注出口（５）を有する。注出口（５）の周囲は、頂部から下方に向かって形成された周壁（８）となっている。周壁（８）の内側にはパッキン部材（３）の突条（１０）と係合する突条（９）が形成されている。キャップ本体（２）には、Ｖ字状の弱化溝（６）が半径方向に向けて等間隔（１２０°間隔）に３本設けられている。弱化溝（６）は外側に形成された弱化溝（６ａ）と内側に形成された弱化溝（６ｂ）とからなる。弱化溝はキャップ本体の内面又は外面の一方に設けても良いし、本実施例のように内面と外面の双方に設けても良い。キャップ本体（２）の頂部には３個の凸部（１３）が形成されている。凸部（１３）は半径方向に形成された細長い凸条で、弱化溝（６）の間の真ん中の位置、すなわち弱化溝から６０°の位置に形成されている。
【００１７】
パッキン部材（３）はポリエチレン製で、概略筒状をなしており、外周面がびん（２０）の口部の内周面に接触して気密性を保持する。外周面にはフランジ部（１１）が形成され、その下面がびん口部上面に接触する。フランジ部（１１）の基端には周溝（１２）が設けられ、これにより外周面が弾性的にびん口内周面に押圧される。内周部分ではガラス製の封緘玉（４）が包持される。パッキン部材（３）の内周部分と封緘玉（４）の外面とは、内周部分が封緘玉に押圧されて弾性的に接触し、気密性が保持されている。パッキン部材（３）の上部の内側には突条（１０）が形成され、これとキャップ本体の突条（９）とが係合することでパッキン部材（３）がキャップ本体（２）に結合される。
【００１８】
キャップ（１）は、打栓機のヘッドによりびん口部に押圧されて装着されるが、この際打栓機のヘッドが凸部（１３）に接触し、弱化溝（６）部分に直接接触しないので、打栓の際に弱化溝（６）に作用する衝撃が緩和され、打栓時に弱化溝が破れてキャップが損傷するおそれが少なくなる。凸部の形状は半径方向に形成された細長い凸条であるので、打栓機のヘッドから受ける力はキャップの側壁から下方向に伝わりやすくなり、弱化溝に作用する無理な力が減少し、弱化溝が破れてキャップが損傷するおそれが一層少なくなる。
【００１９】
内容液を飲み終わった後は専用の器具などで注出口を押し広げて弱化溝からキャップ本体を破壊して取り除く。その後にパッキン部材３をびん口部から抜き取って取り除く。パッキン部材を取り除けば封緘玉４もびん口部から取り出すことができる。このようにして、びん、キャップ及び封緘玉を容易に分別することができる。封緘玉には種々の色や模様を施しておくことで、取り出した封緘玉をビー玉のように楽しむこともできる。
【００２０】
【発明の効果】
本発明のキャップは、キャップ本体の周壁の下端に弱化溝に連続する切欠を設けたので、器具を用いて注出口を押し広げたときに、押し広げる力が切欠に集中し、キャップ本体が容易かつ確実に弱化溝部分で破壊されるとともに、異常な割れ方による破片の飛び散りのおそれもなくなる。また、キャップをびんに装着するときにキャップが損傷を受けることが少ないので、不良品の発生が減少する。また、キャップを打栓機でびん口部に打栓する際、打栓機のヘッドが凸部に接触し、弱化溝部分に直接接触しないので、打栓の際に弱化溝に作用する衝撃が緩和され、打栓時に弱化溝が破れてキャップが損傷するおそれが少なくなる。
【図面の簡単な説明】
【図１】実施例のキャップ（１）の上面図である。
【図２】図１におけるキャップ本体（２）のＡＡ線断面図である。
【図３】図１におけるキャップ本体（２）及びパッキン部材（３）のＢＢ線断面図である。
【図４】図３におけるＣ部拡大図である。
【符号の説明】
１  キャップ
２  キャップ本体
３  パッキン部材
４  封緘玉
５  注出口
６  弱化溝
７  突条
８  周壁
９  突条
１０  突条
１１  フランジ部
１２  周溝
１３  凸部
１４  切欠
２０  びん
２１  突条
【図１】
0003626451.tif 000002
【図２】
0003626451.tif 000003
【図３】
0003626451.tif 000004
【図４】
0003626451.tif 000005